(57)【要約】      （修正有）【課題】係止棒に吊り下げ可能な安価な靴下用の吊り下げ用口券を提供する。【解決手段】吊り下げ用口券１０は、平面状のシートで形成されるとともに、このシートが所定の位置で折り返されて、係止棒に吊り下げ可能な略矩形状になる。この吊り下げ用口券１０は、靴下を挟持する挟持片（第一挟持片１００、第二挟持片２００、第三挟持片３００であってこれらの一部には略Ｌ字状の穴が設けられている）と、略Ｌ字状の穴が設けられた係止片（横吊り用第一係止片１１０、横吊り用第二係止片２１０、縦吊り用係止片２７０）とを含む。このシートを所定の位置で折り返すことにより、係止片に設けられた穴と挟持片に設けられた穴とが重なり合って、四重以上に重ねられたシートにより横吊り用挿通孔および縦吊り用挿通孔が形成される。【選択図】図１
0003220616.tif 000002
【実用新案登録請求の範囲】
【請求項１】
靴下を含む繊維小物の吊り下げ用口券であって、
前記吊り下げ用口券は、平面状のシートで形成されるとともに、前記シートが所定の位置で折り返されて係止棒に吊り下げ可能な略矩形状になり、
前記吊り下げ用口券は、
前記シートを所定の位置で折り返すことにより前記繊維小物を挟持する挟持片と、
前記シートを所定の位置で折り返すことにより、前記略矩形状における少なくとも一辺に前記係止棒が挿通される挿通孔を形成する係止片とを含み、
前記挟持片および前記係止片は、略Ｌ字形状の穴を備え、
前記シートを所定の位置で折り返すことにより、前記係止片に設けられた穴と前記挟持片に設けられた穴とが重なり合って、四重以上に重ねられたシートにより前記挿通孔が形成されることを特徴とする吊り下げ用口券。
【考案の詳細な説明】
【技術分野】
【０００１】
本考案は、靴下に代表される繊維小物の吊り下げ用口券に関し、特に、平面形状のシートで形成されるとともにこのシートが所定の位置で折り返されて係止棒に吊り下げ可能な略矩形状になる安価な吊り下げ用口券に関する。
【背景技術】
【０００２】
従来、靴下またはタイツ等の繊維小物を陳列用ディスプレイに取り付けたハンガー掛けに吊り下げるための吊り下げ用口券においては、（１）長方形状の厚紙を二つ折りにし、この折曲部上端側にハンガー掛けに挿通する挿通孔（単なる丸穴）を穿設したもの、（２）長方形状の厚紙を二つ折りにし、この折曲部上端側にハンガー掛けに係止する鉤状の係止溝を形成したもの、または、（３）長方形状の厚紙を二つ折りにし、この折曲部に切込みを設けてこの切込みに樹脂等で形成したフックを取付けてハンガー掛けに係止するようにしたもの等がある。
【０００３】
しかしながら、（１）においては、ハンガー掛けの先端から順に外していかなければならないためハンガー掛けの奥の方に吊り下げられている靴下等を取出すのが面倒であるという問題があり、（２）においては、ハンガー掛けの奥の方に吊り下げられている靴下等でも容易に取出すことができるという利点はあるが、丸棒状のハンガー掛けの外周に係止溝の円弧状をなす先端内周縁が係合密着するため引張り力に対して比較的弱く、吊り下げてある靴下等の商品を見ようとして横方向に引っ張るようにして回動させたときにその引張り荷重により口券を破損させてしまうおそれがあるという問題があり、（３）においては、フックを作成するための材料費と、工費およびこのフックを取付ける手間が掛かるため、高価なものになってしまうという問題がある。
【０００４】
これらの問題に鑑みた吊り下げ用口券が、実用新案登録第３０８１７１０号公報（特許文献１）に開示されている。この特許文献１に開示された吊り下げ用口券は、（Ａ）長方形状の厚紙を二つ折りにし、該折曲部上端側にハンガー掛けに挿通する挿通孔を穿設した靴下等小物洋品類の吊り下げ用口券において、前記挿通孔から折曲部縁に至近する切込みを切設したことを特徴とし、さらに、（Ｂ）長方形状の厚紙を二つ折りにし、該折曲部上端側にハンガー掛けに係止する鉤状の係止溝を形成した靴下等小物洋品類の吊り下げ用口券において、前記係止溝の先端の径をハンガー掛けの径よりも小径としたことを特徴とする。
【０００５】
そして、（Ａ）においては、表裏の切込みの間に不連続部が形成されているため適度な耐引張り荷重を有するため不用意な引張り荷重が掛かっても外れることがなく、ハンガー掛けの奥にある商品でも適度な引張り荷重を与えることにより容易に取り出すことができ、（Ｂ）においては、吊り下げ用口券に形成した係止溝の先端の径をハンガー掛けの径よりも小径にしたので、係止溝の先端とハンガー掛けとの間に隙間が形成されるため、該係止溝に掛かる引張り荷重を分散させることができるので、引張り荷重に対する強度を高めることができる。そして、（Ａ）および（Ｂ）において、樹脂製の吊り下げ用フックを必要としないので、安価に提供できるだけではなく、使用後は燃えるごみとして処理できるので、環境上有益である。
【先行技術文献】
【特許文献】
【０００６】
【特許文献１】実用新案登録第３０８１７１０号公報
【考案の概要】
【考案が解決しようとする課題】
【０００７】
しかしながら、（Ａ）においては、ハンガー掛けの奥にある商品を取り出す場合には引張り荷重を与えて表裏の切込みの間に不連続部を連続させる（すなわち口券の一部を破る）必要があるために厚紙の強度および不連続部の長さによっては不連続部が連続されないでハンガー掛けの奥にある商品を取り出すことができない場合があり、（Ｂ）においては、ハンガー掛けの径が常に一定であるとは限らず、かつ、係止溝の先端とハンガー掛けと
の間に形成される隙間はわずかであるので、係止溝に掛かる引張り荷重を分散させることができない場合がある。
【０００８】
本考案は、従来技術の上述の問題点に鑑みて開発されたものであり、その目的とするところは、靴下を含む繊維小物の吊り下げ用口券に関し、特に、平面形状のシートで形成されるとともにこのシートが所定の位置で折り返されて係止棒に吊り下げ可能な略矩形状になる安価な吊り下げ用口券を提供することである。
なお、本考案に係る吊り下げ用口券が好適に適用される繊維小物には、靴下（ソックス）のみならず（靴下の丈の長さは特に限定されない）、パンティ部を備えたパンティーストッキングおよびタイツ（これらの一部（足首より先の部分やパンティ部等）を欠落させた、スパッツ、レギンスおよびトレンカ等と呼ばれるものを含む）を含み、さらにボクサーパンツ等の下着類を含む。
【課題を解決するための手段】
【０００９】
上記目的を達成するため、本考案に係る吊り下げ用口券は以下の技術的手段を講じている。
すなわち、本考案に係る吊り下げ用口券は、靴下を含む繊維小物の吊り下げ用口券であって、前記吊り下げ用口券は、平面状のシートで形成されるとともに、前記シートが所定の位置で折り返されて係止棒に吊り下げ可能な略矩形状になり、前記吊り下げ用口券は、前記シートを所定の位置で折り返すことにより前記繊維小物を挟持する挟持片と、前記シートを所定の位置で折り返すことにより、前記略矩形状における少なくとも一辺に前記係止棒が挿通される挿通孔を形成する係止片とを含み、前記挟持片および前記係止片は、略Ｌ字形状の穴を備え、前記シートを所定の位置で折り返すことにより、前記係止片に設けられた穴と前記挟持片に設けられた穴とが重なり合って、四重以上に重ねられたシートにより前記挿通孔が形成されることを特徴とする。
【考案の効果】
【００１０】
本考案に係る吊り下げ用口券によると、靴下を含む繊維小物の吊り下げ用口券であって、平面形状のシートで形成されるとともにこのシートが所定の位置で折り返されて係止棒に吊り下げ可能な略矩形状になる安価な吊り下げ用口券を提供することができる。
【図面の簡単な説明】
【００１１】
【図１】本考案の実施の形態に係る吊り下げ用口券１０の全体を示す平面図であって、所定の位置で折り返す前の平面図である。
【図２】図１の吊り下げ用口券１０を靴下Ｓに適用する場合の手順を説明するための図である。
【図３】図１の吊り下げ用口券１０を靴下Ｓに適用した場合の商品陳列状態を説明するための斜視図である。
【考案を実施するための形態】
【００１２】
以下、本考案の実施の形態に係る厚紙製の吊り下げ用口券１０を、図面に基づき詳しく説明する。なお、以下の説明においては、厚紙の素材からなる平面状のシートを所定の位置で折り返すことにより形成される吊り下げ用口券１０について説明するが、本考案に係る吊り下げ用口券の素材は厚紙に限定されるものではなく紙以外の素材を含み、プラスチック等の素材からなる平面状のシートを立体状に組み立てる吊り下げ用口券であっても構わない。また、このような吊り下げ用口券は、口券ではなく口紙と呼ばれる場合もある。
【００１３】
図１に示すこの吊り下げ用口券１０の全体を示す平面図であって所定の位置で折り返す前の平面図、図２に示すこの吊り下げ用口券１０を靴下Ｓに適用する場合の手順を説明するための図、および、図３に示すこの吊り下げ用口券１０を靴下Ｓに適用した場合の商品陳列状態を説明するための斜視図を参照して、この吊り下げ用口券１０について説明する。なお、図２に示す点線は谷折り線を、１点鎖線は山折り線を、それぞれ示す。
【００１４】
この吊り下げ用口券１０は、図１に示すように平面状のシートで形成されるとともに、図２に示す手順でこのシートが所定の位置で折り返されて、図３に示すように係止棒Ｂに吊り下げ可能な略矩形状になる。そして、この吊り下げ用口券１０は、大略的には、このシートを所定の位置で折り返すことにより靴下Ｓに代表される繊維小物を挟持する第一挟
持片１００、第二挟持片２００および第三挟持片３００と、このシートを所定の位置で折り返すことにより略矩形状における少なくとも一辺に係止棒Ｂが挿通される挿通孔（ここでは横吊り用挿通孔ＨＨおよび縦吊り用挿通孔ＶＨの２つの挿通孔）を形成する係止片（横吊り用第一係止片１１０、横吊り用第二係止片２１０および縦吊り用係止片２７０）とを含む。なお、係止棒Ｂが挿通される挿通孔は少なくとも１つ存在すればよく、その個数は限定されるものではない。また、図１における紙面縦方向の寸法については、限定されるものではないが、第二挟持片２００が最も長く、第一挟持片１００が第二挟持片２００よりも少しだけ短く第一挟持片１００を第二挟持片２００側へ折り返すと第二挟持片２００にほぼ重なり、第三挟持片３００は第一挟持片１００および第二挟持片２００の半分程度以下であって第一挟持片１００と第三挟持片３００との間に靴下Ｓが挟み込まれても靴下Ｓが見える。
【００１５】
そして、特徴的であるのは、これらの挟持片（第一挟持片１００および第二挟持片２００）ならびに係止片（横吊り用第一係止片１１０、横吊り用第二係止片２１０および縦吊り用係止片２７０）は、このシートを所定の位置で折り返すと略Ｌ字形状の挿通孔横吊り用挿通孔ＨＨおよび縦吊り用挿通孔ＶＨを形成する略Ｌ字形状の穴を備える。このシートを所定の位置で折り返すことにより、これらの係止片に設けられた穴と挟持片に設けられた穴とが重なり合って、四重以上に重ねられたシートにより挿通孔（横吊り用挿通孔ＨＨおよび縦吊り用挿通孔ＶＨ）が形成される。
【００１６】
このような特徴を備えた本考案の実施の形態に係る吊り下げ用口券１０につついてさらに詳しく説明する。
図１〜図３に示すように、靴下Ｓを挟持する第一挟持片１００、第二挟持片２００および第三挟持片３００については、この吊り下げ用口券１０における第二挟持片２００は裏側の台紙となり直接的に靴下Ｓを挟み込むわけではなく、第一挟持片１００と第三挟持片３００との間に靴下Ｓが直接的に挟み込まれる。なお、第三挟持片３００を備えることなく、第一挟持片１００と第二挟持片２００との間に靴下Ｓを直接的に挟み込むものであっても構わない。
【００１７】
横吊り用挿通孔ＨＨを形成するために、第一挟持片１００から延設して横吊り用第一係止片１１０が設けられ、第二挟持片２００から延設して横吊り用第二係止片２１０が設けられている。これらの横吊り用第一係止片１１０および横吊り用第二係止片２１０には、このシートを所定の位置で折り返すと略Ｌ字形状の横吊り用挿通孔ＨＨを形成する略Ｌ字状の穴（以下においては穴という記載は略Ｌ字状の穴を示す）が設けられている。
【００１８】
より詳しくは、横吊り用第一係止片１１０には穴１１２が、横吊り用第二係止片２１０には穴２１２がそれぞれ設けられている。
さらに、この横吊り用第一係止片１１０の穴１１２に対応するようにその形状および位置が決められた穴１０２が第一挟持片１００に、この横吊り用第二係止片２１０の穴２１２に対応するようにその形状および位置が決められた穴２０２が第二挟持片２００に、それぞれ設けられている。
【００１９】
そして、図２に示すように、横吊り用第一係止片１１０を谷折り線１１１で第一挟持片１００側へ折り返して重ね合わせて（矢示Ｒ（１）方向へ折り返して）、穴１０２と穴１１２とが重なり合い、横吊り用第二係止片２１０を谷折り線２１１で第二挟持片２００側へ折り返して重ね合わせて（矢示Ｒ（２）方向へ折り返して）、穴２０２と穴２１２とが重なり合い、第一挟持片１００を谷折り線１５１および谷折り線１５２で第二挟持片２００側へ折り返して重ね合わせて（矢示Ｒ（６）方向へ折り返して）、穴１０２と穴１１２と穴２０２と穴２１２とが重なり合い、シート４枚分の厚み（四重）で強固な強度を備えた横吊り用挿通孔ＨＨが形成される。
【００２０】
なお、第一挟持片１００と第二挟持片２００とは、シート４枚分の厚みに対応する間隙部１５０を備えている。この間隙部１５０を備えない場合には、シートがある程度厚いと横吊り用挿通孔ＨＨ近傍に厚み４枚分の膨らみができてしまうために、間隙部１５０によりこのような膨らみができることを回避している。
縦吊り用挿通孔ＶＨを形成するために、第二挟持片２００から延設して縦吊り用係止片
２７０が設けられている。縦吊り用係止片２７０は、縦吊り用第一係止部２２０、縦吊り用第二係止部２３０および縦吊り用第三係止部２４０から構成されている。これらの縦吊り用第一係止部２２０、縦吊り用第二係止部２３０および縦吊り用第三係止部２４０には、このシートを所定の位置で折り返すと略Ｌ字形状の縦吊り用挿通孔ＶＨを形成する略Ｌ字状の穴（以下においても穴という記載は略Ｌ字状の穴を示す）が設けられている。
【００２１】
より詳しくは、縦吊り用第一係止部２２０には穴２２４が、縦吊り用第二係止部２３０には穴２３４が、縦吊り用第三係止部２４０には穴２４４が、それぞれ設けられている。後述するようにこのシートを所定の位置で折り返すことにより、これらの穴は互いに重なり合うように、その形状および位置が決められている。
さらに、この縦吊り用第一係止部２２０の穴２２４に対応するようにその形状および位置が決められた穴２０４が第二挟持片２００に、この第二挟持片２００の穴２０４に対応するようにその形状および位置が決められた穴１２２が第一挟持片１００に、それぞれ設けられている。
【００２２】
そして、図２に示すように、縦吊り用係止片２７０を、谷折り線２２１、山折り線２３１および谷折り線２４１で折り返して、縦吊り用第一係止部２２０、縦吊り用第二係止部２３０および縦吊り用第三係止部２４０を第二挟持片２００に重ね合わせて（矢示Ｒ（３）、矢示Ｒ（４）、矢示Ｒ（５）方向へ折り返し）、穴２０４と穴２２４と穴２３４と穴２４４とが重なり合い、第一挟持片１００を谷折り線１５１および谷折り線１５２で第二挟持片２００側へ折り返して重ね合わせて（矢示Ｒ（６）方向へ折り返して）、これらの第二挟持片２００側で重なり合った穴と穴１２２とが重なり合い、シート５枚分の厚み（五重）で強固な強度を備えた縦吊り用挿通孔ＶＨが形成される。
【００２３】
なお、第一挟持片１００と第二挟持片２００との間に設けられる間隙部１５０は、上述した横吊り用挿通孔ＨＨ近傍に厚み４枚分の膨らみができることを回避していることに加えて、縦吊り用挿通孔ＶＨ近傍に厚み５枚分の膨らみができることを回避している。
本実施の形態に係る吊り下げ用口券１０においては、シート４枚分（四重）またはシート５枚分（五重）に重ねられたシートにより挿通孔が形成されているが、本考案に係る吊り下げ用口券は四重にも五重にも限定されるものではなく、シート４枚分（四重）以上に重ねられたシートにより強固な強度を備えた挿通孔がシートのみの素材により形成されていればよい。
【００２４】
このように横吊り用挿通孔ＨＨおよび縦吊り用挿通孔ＶＨを形成するために係止片が折り返されてから、第一挟持片１００を谷折り線１５１および谷折り線１５２で第二挟持片２００側へ折り返して重ね合わせた（矢示Ｒ（６）方向へ折り返した）状態が図２（Ｃ）に示す状態である。
左右ペアの靴下Ｓを、たとえば片方をもう片方の内に押し込んで、さらに台紙４００を挿入する。この台紙４００には、最後にナイロンピンＮＰが打ち込まれたときに障害とならないように開口部４１０を備える。この開口部４１０の位置は、ナイロンピンＮＰが打ち込まれる位置にそれぞれ設けられた３つのピン穴（第一挟持片１００のピン穴１６０、第二挟持片２００のピン穴２６０および第三挟持片３００のピン穴３６０）の位置に対応している。なお、これらの３つのピン穴は図２（Ｅ）に示す状態で位置が合致して、さらに、この合致した位置は開口部４１０の内側に位置している。
【００２５】
図２（Ｃ）に示す状態のこの吊り下げ用口券１０に、台紙４００が挿入された靴下Ｓを載置してから、第三挟持片３００を谷折り線２５１および谷折り線２５２で第二挟持片２００と既に重なり合っている第一挟持片１００側へ折り返して重ね合わせて（矢示Ｒ（７）方向へ折り返して）、第一挟持片１００と第三挟持片３００との間に靴下Ｓを直接的に挟み込む。
【００２６】
これにより、シート４枚分の厚みで強固な強度を備えた横吊り用挿通孔ＨＨおよびシート５枚分の厚みで強固な強度を備えた縦吊り用挿通孔ＶＨが形成される。なお、第二挟持片２００と第三挟持片３００との間には、繊維小物である靴下Ｓの厚みに対応する小物間隙部２５０を備えている。この小物間隙部２５０は、繊維小物の厚みにより適宜設定される。ここで、この吊り下げ用口券１０における第二挟持片２００は裏側の台紙となり直接
的に靴下Ｓを挟み込むわけではない。このため、より詳しくは、この吊り下げ用口券１０を形成するシートが所定の位置で折り返されることによりこの小物間隙部２５０により形成される間隙は、第一挟持片１００と第三挟持片３００との間に形成されて、繊維小物である靴下Ｓの厚みに対応する。
【００２７】
最後に、この吊り下げ用口券１０から靴下Ｓが容易に外れないように、第一挟持片１００のピン穴１６０、第二挟持片２００のピン穴２６０および第三挟持片３００のピン穴３６０ならびに台紙４００の開口部４１０を貫通するように靴下ＳにナイロンピンＮＰを打ち込む。
このようにして、靴下Ｓは吊り下げ用口券１０に挟持されて、容易に外れないようにナイロンピンＮＰで止められる。このような吊り下げ用口券１０および靴下Ｓは、陳列用ディスプレイに取り付けた係止棒Ｂが挿通孔に挿通されて展示販売される。この場合において、図３（Ａ）に示すように、横吊り用挿通孔ＨＨに係止棒Ｂが挿通されて横吊りで展示販売されたり、図３（Ｂ）に示すように、縦吊り用挿通孔ＶＨに係止棒Ｂが挿通されて縦吊りで展示販売されたりする。
【００２８】
横吊りであっても縦吊りであっても、この本考案の実施の形態に係る吊り下げ用口券１０における挿通孔は、シート４枚分の厚みで強固な強度を備えた横吊り用挿通孔ＨＨであったり、シート５枚分の厚みで強固な強度を備えた縦吊り用挿通孔ＶＨであったりするので、挿通孔が容易に破損することを抑制できる。さらに、この吊り下げ用口券１０は、樹脂製のフックを用いていないで強固な挿通孔を実現しているので、安価に提供できるだけではなく、使用後は１種類の資源ゴミとして廃棄することができる。
【００２９】
また、略Ｌ字形状の挿通孔であるので係止棒Ｂの奥にある靴下Ｓを取り出す場合であっても、引張り荷重を与えて口券の一部を破る必要もなく、上述したように係止棒Ｂの径に左右されることなく、強固な強度を備えた挿通孔であるので、係止棒Ｂの径によらず係止棒Ｂを係止させても挿通孔が破損することを抑制できる。
以上のようにして、本実施の形態に係る吊り下げ用口券によると、靴下を含む繊維小物の吊り下げ用口券であって、平面形状のシートで形成されるとともにこのシートが所定の位置で折り返されて係止棒に吊り下げ可能な略矩形状になる安価な吊り下げ用口券を提供することができる。
【００３０】
なお、今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００３１】
本考案は、靴下等の繊維小物に好適であり、平面形状のシートで形成されるとともにこのシートが所定の位置で折り返されて係止棒に吊り下げ可能な強固な挿通孔が形成される点で好ましく、フック等のシートとは異なる素材を用いない点で安価である点で特に好ましい。
【符号の説明】
【００３２】
１０  吊り下げ用口券
１００  第一挟持片
１１０  横吊り用第一係止片
１５０  間隙部
１６０  ピン穴
２００  第二挟持片
２１０  横吊り用第二係止片
２２０  縦吊り用第一係止部
２３０  縦吊り用第二係止部
２４０  縦吊り用第三係止部
２５０  小物間隙部
２６０  ピン穴
２７０  縦吊り用係止片
３００  第三挟持片
３６０  ピン穴
４００  台紙
４１０  開口部
Ｓ  靴下
ＨＨ  横吊り用挿通孔
ＶＨ  縦吊り用挿通孔
【図１】
0003220616.tif 000003
【図２】
0003220616.tif 000004
【図３】
0003220616.tif 000005